(57)【要約】【課題】この考案は、装着時にその形態を変化させることにより、複数のイメージをもたせることができ、しかもイメージの変化を特に大きくした形状が変化する装身具を得ようとするものである。【解決手段】一端において回転軸を介して互いに回動自在に連結され、他端に両端を連結する磁石が取り付けられた少なくとも一対のフレーム部材と、フレーム部材の内側に配設した装飾部とを有し、該回動自在のフレーム部材を他端の磁石で連結した閉止状態において、装飾部をフレーム部材と一体化したデザインとするとともに、フレーム部材を反転した開放状態において、フレーム部材と装飾部とを上記一体化したデザインとは異なるデザインとなるようにしたことを特徴とする形状が変化する装身具。【選択図】  図３
0003110679.tif 000002
【実用新案登録請求の範囲】
【請求項１】
一端において回転軸を介して互いに回動自在に連結され、他端に両端を連結する磁石が取り付けられた少なくとも一対のフレーム部材と、フレーム部材の内側に配設した装飾部とを有し、該回動自在のフレーム部材を他端の磁石で連結した閉止状態において、装飾部をフレーム部材と一体化したデザインとするとともに、フレーム部材を反転した開放状態において、フレーム部材と装飾部とを上記一体化したデザインとは異なるデザインとなるようにしたことを特徴とする形状が変化する装身具。
【請求項２】
フレーム部材の内側に配設した装飾部が、フレーム部材の内周に取り付けられていることを特徴とする請求項１に記載の形状が変化する装身具。
【請求項３】
フレーム部材の内側に配設した装飾部が、回転軸の軸受部に取り付けられていることを特徴とする請求項１に記載の形状が変化する装身具。
【請求項４】
少なくとも一対のフレーム部材と、フレーム部材の内側に配設した装飾部とが、両面を装飾面として利用できるようにしたことを特徴とする請求項１ないし３のいずれかに記載の形状が変化する装身具。
【考案の詳細な説明】
【技術分野】
【０００１】
この考案は装着の際に、その形態を変えることができる装身具、特にネックレスなどに適用できる形状が変化する装身具に関する。
【背景技術】
【０００２】
従来、その形態を変えることができる装身具、特にネックレスなどの形状が変化する装身具としては、登録実用新案第３０４３２６３号公報（特許文献１参照）のように、複数の、その両端近傍で互いに回動自在に連結された部材を有し、該回動自在の部材は、その両端の回動軸を結ぶ線に対して非対称であり、反転することによって装身具の形態を変化させるネックレスなどの懸吊型の装身具が知られている。
そして上記装身具は、回動自在に連結された部材の連結部の構造により、反転することによって異なったイメージをもつ装身具に変化させることができるものである。
【０００３】
また、特開２００４−７３７４８公報（特許文献２参照）には、繋ぎ合わされた６個の部品ピースと、これら部品ピースの１つに取り付けられた支持金具とを備え、上記各部品ピースには、全ピースが略平面状に並べられた展開状態で隣接する部品ピースどうしを互いに回動可能に連結する連結部と、該連結部を介して各部品ピースを裏面側に回動させて全ピースを組み合わせた組立状態で隣接する部品ピースどうしを互いに着脱可能に係止する係止部とが設けられている装飾品が提案されている。
この装飾品は繋ぎ合わされた６個の部品ピースを展開状態においてはほぼ十字になり、各部品ピースを裏面側に回動させて全ピースを組み合わせた組立状態においてはほぼ正六面体になるよう形成されている。
【特許文献１】登録実用新案第３０４３２６３号公報
【特許文献２】特開２００４−７３７４８公報
【考案の開示】
【考案が解決しようとする課題】
【０００４】
ネックレス、ブレスレット、ブローチなどの装身具は、使用時の雰囲気、装着時のドレスなど、いわゆるＴＰＯに応じて求められるイメージが変化するのが一般である。しかし、特に宝石などを用いた高価なものを複数所持することは困難な場合が多い。
そこで、登録実用新案第３０４３２６３号公報（特許文献１参照）のように回動自在に連結された部材の連結部の構造により、反転することによって異なったイメージに変化させることができる装身具や、特開２００４−７３７４８公報（特許文献２参照）のように、繋ぎ合わされた６個の部品ピースを展開状態においてはほぼ十字になり、各部品ピースを裏面側に回動させて全ピースを組み合わせた組立状態においてはほぼ正六面体になるようにした装飾品が提案されている。
【０００５】
しかしながら、上記いずれの装身具や装飾品においても、前者の反転自在に連結された部材は形態の変化（バリエーション）に乏しい上、装飾性に欠けるという欠点があった。また、後者の６個の部品ピースを展開状態と組立状態のいずれかにおいて使用可能な装飾品は、６個の部品ピースが状態を変えるだけであって、個々の部品ピース自体はそのままの形態を保持しているので、やはり形態の変化（バリエーション）に乏しいという欠点があった。
【０００６】
この考案は、装着時にその形態を変化させることにより、複数のイメージをもたせることができ、しかもイメージの変化を特に大きくした形状が変化する装身具を得ようとするものである。
【課題を解決するための手段】
【０００７】
すなわち、この考案の形状が変化する装身具は、一端において回転軸を介して互いに回動自在に連結され、他端に両端を連結する磁石が取り付けられた少なくとも一対のフレーム部材と、フレーム部材の内側に配設した装飾部とを有し、該回動自在のフレーム部材を他端の磁石で連結した閉止状態において、装飾部をフレーム部材と一体化したデザインとするとともに、フレーム部材を反転した開放状態において、フレーム部材と装飾部とを上記一体化したデザインとは異なるデザインとなるようにしたことを特徴とするものである。
【０００８】
この考案の形状が変化する装身具は、上記フレーム部材の内側に配設した装飾部が、フレーム部材の内周に取り付けられていることをも特徴とするものである。
【０００９】
この考案の形状が変化する装身具は、上記フレーム部材の内側に配設した装飾部が、回転軸の軸受部に取り付けられていることをも特徴とするものである。
【００１０】
この考案の形状が変化する装身具は、上記少なくとも一対のフレーム部材と、フレーム部材の内側に配設した装飾部とが、両面を装飾面として利用できるようにしたことをも特徴とするものである。
【考案の効果】
【００１１】
この考案の装身具は、上記のように、回動自在に連結されたフレーム部材の構造により、反転することによって異なったイメージをもつ装身具に変化させることができるばかりでなく、フレーム部材の内側に装飾部を配設したので、フレーム部材を閉止状態において装飾部と一体化したデザインとするとともに、フレーム部材を反転した開放状態において、フレーム部材と装飾部とを上記一体化したデザインとは異なるデザインとなるようにすることができ、フレーム部材と装飾部との組合せにおいてイメージの変化の大きい、形状が変化する装身具を得ることができるようになった。
なお、実施例はネックレスとして説明したが、ブレスレット、ブローチ、イヤリングなどにも利用できることは云うまでもない。
【考案を実施するための最良の形態】
【００１２】
以下この考案の形状が変化する装身具の実施の形態を、図面に基いて詳細に説明する。
図１はこの考案の形状が変化する装身具の１実施例を示すフレーム部材の閉止状態の正面図、図２はその側面図、図３はフレーム部材の開放状態の正面図、図４はその側面図、図５はこの考案の形状が変化する装身具の他の実施例を示すフレーム部材の閉止状態の正面図、図６はその側面図、図７はフレーム部材の開放状態の正面図、図８は装飾部を取り付けたフレーム部材単体の正面図、図９はフレーム部材の連結状態を示す装飾部側から見た側面図、図１０はフレーム部材の連結状態を示すフレーム部材側から見た側面図、さらに図１１は端部のフレーム部材を示すフレーム部材側から見た側面図である。
【００１３】
この考案の形状が変化する装身具の１実施例を示す図１ないし図４において、１１は下部に装飾体を装着したたとえばネックレスのような装身具を示し、左右に一対の金や銀、プラチナなどの貴金属によって作られた半円形のフレーム部材１２，１３は、その下端に設けた回転軸１４により、互いに回動自在に連結される。そしてフレーム部材１２，１３の開放端部の両端近傍には磁石１５が取り付けられていて、当該両端を着脱可能に連結するようになっている。１６は上記開放端部上に取付けた丸環で、チェーン類１７を取り付けてネックレスとして使用するためのものである。
フレーム部材１２，１３上にはまた、それぞれその長さ方向に多数のメレ１８が爪止めや彫留め等の手段で配置されている。図においては上記係止手段は省略されている。
【００１４】
フレーム部材１２，１３の回転軸１４を取り付ける軸受部１９には、連結アーム２０の一端が固定され、この連結アーム２０を介して装飾部２１が連結されている。
この装飾部２１は、連結アーム２０の他端に取り付けた宝石台２２と、宝石台２２の内部に取り付けられた宝石２３とで構成され、図では縦横に一対の４個の宝石２３が宝石台２２に配設されている。図において２４は４個の宝石２３の中央に配置した共通爪、２５はそれぞれの宝石２３の周囲に配置した個別爪である。
上記においてはブリリアントカットの宝石を例示したが、他のカットを採用しても良いことはもちろんである。
【００１５】
上記フレーム部材１２，１３は常態においては、上記回転軸１４を介して回動自在のフレーム部材１２，１３を他端の磁石１５で連結した閉止状態において使用され、その状態においては上記装飾部２１をフレーム部材１２，１３で囲まれた円形内に収納されている。
また、磁石１５の連結を解いて、フレーム部材１２，１３を反転した開放状態においては、フレーム部材１２，１３は開口部分を下向きにしてほぼ水平の向きに配置され、装飾部２１は下向きとなった連結アーム２０の先端に宝石台２２を吊下げた状態に保持される。
したがって閉止状態では、上記装飾部２１をフレーム部材１２，１３で囲まれた円形内に収納して、円形が強調された一体化したデザインとなっている。また開放状態では、フレーム部材１２，１３は半円形の膨らみが上を向いた水平の向きに配置され、装飾部２１はフレーム部材１２，１３の中央から宝石台２２を吊下げた状態で、宝石台２２に配設した４個の宝石２３のなす、ほぼ十字の形状が強調されたデザインとなっている。
このように、この実施例においては、上記ほぼ円形の一体化したデザインと、これとは異なるダイナミックなデザインとが適宜選択でき、それぞれ異なった雰囲気の装身具に変化する。
【００１６】
この考案の形状が変化する装身具の他の実施例を示す図５ないし図１１において、３１は下部に装飾体を装着したたとえばネックレスのような装身具であり、金や銀、プラチナなどの貴金属によって作られた、１／４円の円弧形のフレーム部材３２−１，３２−２，３３−１，３３−２は、図９および図１０に示すように、各フレーム部材３２−１，３２−２，３３−１，３３−２の端部に設けた回転軸３４により、互いに回動自在に連結される。そして上側のフレーム部材３２−２，３３−２の開放端部の両端近傍には、図１１のように磁石３５が取り付けられていて、当該両端を着脱可能に連結するようになっている。３６は上記開放端部上に取付けた丸環で、チェーン類３７を取り付けてネックレスとして使用するためのものである。
各フレーム部材３２−１，３２−２，３３−１，３３−２上にはまた、それぞれその長さ方向に多数のメレ３８が爪止めや彫留め等の手段で配置されている。図においては上記係止手段は省略されている。
【００１７】
フレーム部材３２−１，３２−２，３３−１，３３−２の内周面には、図８および図１１のように、フレーム部材３２−１，３２−２，３３−１，３３−２と一体的に宝石台４２が形成され、この宝石台３９に組み付けた宝石４３とで装飾部４１が形成されている。また装飾部４１は、上記宝石台４２に取り付けた４個の宝石４３が組み合わさって一体感のあるデザインが形作られている。
この装飾部４１は、上述のようにフレーム部材３２−１，３２−２，３３−１，３３−２にそれぞれ取り付けられた宝石台４２と、宝石台４２の内部に組み付けられた宝石４３とで構成され、図では４個の宝石４３が円形をなすフレーム部材３２−１，３２−２，３３−１，３３−２内に配設されている。図において４４は４個の宝石４３のそれぞれ周囲に配置した爪である。
上記においてはハート形の宝石を例示したが、他のモチーフを採用しても良いことはもちろんである。なお、図ではハート形の表面に施したカットを省略している。
【００１８】
上記フレーム部材３２−１，３２−２，３３−１，３３−２は常態においては、上記回転軸３４を介して回動自在のフレーム部材３２−１，３２−２，３３−１，３３−２を他端の磁石３５で連結した閉止状態において使用され、その状態においては上記装飾部４１をフレーム部材３２−１，３２−２，３３−１，３３−２で囲まれた円形内に収納されている。
また、磁石３５の連結を解いて、フレーム部材３２−１，３２−２，３３−１，３３−２を反転した開放状態においては、フレーム部材３２−１，３２−２，３３−１，３３−２は開口部分を外向きにしてほぼ円弧状に配置され、装飾部４１は外向きとなったフレーム部材３２−１，３２−２，３３−１，３３−２に宝石台４２を外向きに配置した状態に保持される。
したがって閉止状態では、上記装飾部４１をフレーム部材フレーム部材３２−１，３２−２，３３−１，３３−２で囲まれた円形内に収納して、円形が強調された一体化したデザインとなっている。また開放状態では、フレーム部材フレーム部材３２−１，３２−２，３３−１，３３−２は円弧の膨らみが内側を向いた円弧状に配置され、装飾部４１はフレーム部材フレーム部材３２−１，３２−２，３３−１，３３−２のほぼ中央から宝石台２２を外向きに配置した状態で、宝石台４２に配設した４個の宝石４３のなす、ハート形が強調されたデザインとなっている。
このように、この実施例においては、上記ほぼ円形の一体化したデザインと、これとは異なるダイナミックなデザインとが適宜選択でき、それぞれ異なった雰囲気の装身具に変化する。
【産業上の利用可能性】
【００１９】
この考案の装身具は、上記のように、回動自在に連結されたフレーム部材と装飾部との組合せにより、フレーム部材を反転することによって異なったイメージをもつ装身具に変化させることができる。
なお、上記実施例においてはネックレスとして説明したが、ブレスレット、ブローチ、イヤリングなどにも利用できることはいうまでもない。
【図面の簡単な説明】
【００２０】
【図１】この考案の形状が変化する装身具の１実施例を示すフレーム部材の閉止状態の正面図である。
【図２】その側面図である。
【図３】フレーム部材の開放状態の正面図である。
【図４】その側面図である。
【図５】この考案の形状が変化する装身具の他の実施例を示すフレーム部材の閉止状態の正面図である。
【図６】その側面図である。
【図７】フレーム部材の開放状態の正面図である。
【図８】装飾部を取り付けたフレーム部材単体の正面図である。
【図９】フレーム部材の連結状態を示す装飾部側から見た側面図である。
【図１０】フレーム部材の連結状態を示すフレーム部材側から見た側面図である。
【図１１】端部のフレーム部材を示すフレーム部材側から見た側面図である。
【符号の説明】
【００２１】
１１  装身具
１２，１３  フレーム部材
１４  回転軸
１５  磁石
１６  丸環
１７  チェーン類
１８  メレ
１９  軸受部
２０  連結アーム
２１  装飾部
２２  宝石台
２３  宝石
２４  共通爪
２５  個別爪
３１  装身具
３２−１，３２−２，３３−１，３３−２  フレーム部材
３４  回転軸
３５  磁石
３６  丸環
３７  チェーン類
３８  メレ
４１  装飾部
４２  宝石台
４３  宝石
４４  爪
【図１】
0003110679.tif 000003
【図２】
0003110679.tif 000004
【図３】
0003110679.tif 000005
【図４】
0003110679.tif 000006
【図５】
0003110679.tif 000007
【図６】
0003110679.tif 000008
【図７】
0003110679.tif 000009
【図８】
0003110679.tif 000010
【図９】
0003110679.tif 000011
【図１０】
0003110679.tif 000012
【図１１】
0003110679.tif 000013